(57)【要約】  息苦しさを解消しつつ喉の乾燥を防ぐことができるマスクを提供する。マスク１は、装着者の口を覆う本体部１０を備えている。本体部１０は、互いに重ね合わされたシート１２及びシート１４を有する。シート１２及びシート１４は、何れもメッシュ状をしている。ただし、シート１４は、シート１２よりも目が細かい。シート１４は、シート１２から剥離可能に設けられている。
2015132862.tif 000002
【特許請求の範囲】
【請求項１】
装着者の口を覆う本体部を備え、
前記本体部は、
メッシュ状の第１のシートと、
前記第１のシートに重ね合わされた、前記第１のシートよりも目の細かいメッシュ状の第２のシートと、を有し、
前記第２のシートは、前記第１のシートから剥離可能に設けられていることを特徴とするマスク。
【請求項２】
請求項１に記載のマスクにおいて、
前記第２のシートは、前記第１のシートから部分的に剥離可能であるマスク。
【請求項３】
請求項１又は２に記載のマスクにおいて、
前記第２のシートは、前記第１のシートから剥離された後、当該第１のシートに再び重ね合わされた状態で使用可能であるマスク。
【請求項４】
請求項１乃至３の何れかに記載のマスクにおいて、
前記第１のシートと前記第２のシートとは、互いに剥離可能に貼り合わされているマスク。
【請求項５】
請求項１乃至４の何れかに記載のマスクにおいて、
前記本体部には、前記第２のシートを前記第１のシートから剥離するための切取線が形成されているマスク。
【請求項６】
請求項５に記載のマスクにおいて、
前記切取線は、前記第２のシートにおける剥離可能な部分を複数に分断するように形成されているマスク。
【請求項７】
請求項１乃至６の何れかに記載のマスクにおいて、
前記第１のシートと前記第２のシートとは、略同一の形状及び大きさであるマスク。
【請求項８】
請求項１乃至７の何れかに記載のマスクにおいて、
前記第１のシートと前記第２のシートとは、同一の材料からなるマスク。
【請求項９】
請求項１乃至８の何れかに記載のマスクにおいて、
前記第２のシートは、前記装着者の顔に対向する側に設けられているマスク。
【請求項１０】
請求項１乃至９の何れかに記載のマスクにおいて、
前記第２のシートは、前記第１のシートから剥離された後、前記装着者の目を覆うように構成されているマスク。
【請求項１１】
請求項１０に記載のマスクにおいて、
前記第１のシートの上端部と前記第２のシートの上端部とは、互いに接着されており、
前記第２のシートは、前記上端部が前記第１のシートの前記上端部に接着された状態を維持しつつ、前記第１のシートから剥離されるマスク。
【請求項１２】
請求項１０又は１１に記載のマスクにおいて、
前記第１のシートから剥離された後の前記第２のシートにおける前記装着者の目に重なる部分に貼付される遮光シートを備えるマスク。
【請求項１３】
請求項１２に記載のマスクにおいて、
前記遮光シートには、図柄が描かれているマスク。
【請求項１４】
請求項１３に記載のマスクにおいて、
前記図柄は、動物、スイーツ、乗り物、又はキャラクターの図柄であるマスク。
【請求項１５】
請求項１乃至１４の何れかに記載のマスクにおいて、
前記本体部は、
前記第２のシートに重ね合わされた、前記第２のシートよりも目の細かいメッシュ状の第３のシートを有し、
前記第３のシートは、前記第２のシートから剥離可能に設けられているマスク。
【請求項１６】
請求項１５に記載のマスクにおいて、
前記第３のシートは、前記第２のシートから剥離された後、前記装着者の目を覆うように構成されているマスク。
【請求項１７】
請求項１６に記載のマスクにおいて、
前記第２のシートの上端部と前記第３のシートの上端部とは、互いに接着されており、
前記第３のシートは、前記上端部が前記第２のシートの前記上端部に接着された状態を維持しつつ、前記第２のシートから剥離されるマスク。
【請求項１８】
請求項１乃至１７の何れかに記載のマスクにおいて、
前記本体部に固定され、前記装着者の顔から前記本体部を離間させた状態で当該本体部の形状を維持するための可塑性の線状部材を備えるマスク。
【請求項１９】
請求項１８に記載のマスクにおいて、
前記線状部材は、前記本体部の上端に沿って設けられた第１の線状部材と、前記本体部の下端に沿って設けられた第２の線状部材とを含むマスク。
【請求項２０】
請求項１８又は１９に記載のマスクにおいて、
前記線状部材は、前記本体部の左端に沿って設けられた第３の線状部材と、前記本体部の右端に沿って設けられた第４の線状部材とを含むマスク。
【請求項２１】
請求項１乃至２０の何れかに記載のマスクにおいて、
前記本体部に着脱可能に設けられた保湿材を備えるマスク。
【請求項２２】
請求項２１に記載のマスクにおいて、
前記保湿材は、前記本体部に貼付可能であるマスク。
【請求項２３】
請求項２１又は２２に記載のマスクにおいて、
前記本体部は、前記保湿材を収納するポケットを有するマスク。
【請求項２４】
請求項２３に記載のマスクにおいて、
前記本体部は、複数の前記ポケットを有するマスク。
【請求項２５】
請求項２１乃至２４の何れかに記載のマスクにおいて、
前記保湿材は、芳香成分を含有するマスク。
【請求項２６】
請求項２５に記載のマスクにおいて、
前記芳香成分は、ハーブの香りを発するものであるマスク。
【請求項２７】
請求項２１乃至２６の何れかに記載のマスクにおいて、
前記保湿材は、抗菌成分を含有するマスク。
【請求項２８】
請求項２７に記載のマスクにおいて、
前記抗菌成分は、タンニンであるマスク。
【発明の詳細な説明】
【技術分野】
【０００１】
本発明は、人の鼻や口を覆うマスクに関する。
【背景技術】
【０００２】
従来のマスクとしては、例えば特許文献１に記載されたものがある。同文献に記載されたマスクは、鼻及び口を含む顔面の対象部を覆う本体部と、本体部の左右両側に設けられ、耳に係止するための係止部とを備えている。本体部は、顔面と対面するインナー部と、インナー部を被覆する外装部とを有している。インナー部は、顔面の起伏に対応するように、カップ状の立体形状をしている。
【先行技術文献】
【特許文献】
【０００３】
【特許文献１】特開２００７−２１０３２号公報
【発明の概要】
【発明が解決しようとする課題】
【０００４】
特許文献１に記載されたマスクによれば、本体部によって鼻及び口が覆われるため、喉が乾燥するのを防ぐことができる。しかしながら、その一方で、かかるマスクを装着した状態では、呼吸が妨げられるため、息苦しくなるという問題がある。【０００５】
本発明は、上記課題に鑑みてなされたものであり、息苦しさを解消しつつ喉の乾燥を防ぐことができるマスクを提供することを目的とする。
【課題を解決するための手段】
【０００６】
本発明によるマスクは、装着者の口を覆う本体部を備え、上記本体部は、メッシュ状の第１のシートと、上記第１のシートに重ね合わされた、上記第１のシートよりも目の細かいメッシュ状の第２のシートと、を有し、上記第２のシートは、上記第１のシートから剥離可能に設けられていることを特徴とする。【０００７】
このマスクにおいては、本体部によって装着者の口が覆われるため、喉が乾燥するのを防ぐことができる。また、本体部は、互いに重ね合わされた第１及び第２のシートを有し、第２のシートは、第１のシートから剥離可能に設けられている。ここで、剥離可能とは、装着者が本体部を損傷することなく容易に第２のシートを剥がせるということである。このため、装着者は、比較的目の細かい第２のシートを剥離することにより、比較的目の粗い第１のシートを露出させ、本体部の通気性を高めることができる。これにより、装着者は、呼吸をし易くなるため、息苦しさから免れることができる。
【発明の効果】
【０００８】
本発明によれば、息苦しさを解消しつつ喉の乾燥を防ぐことができるマスクが実現される。
【図面の簡単な説明】
【０００９】
【図１】本発明によるマスクの第１実施形態を示す正面図である。
【図２】図１のマスクにおいて第２のシートが剥離された状態を示す正面図である。
【図３】本発明によるマスクの第２実施形態を示す正面図である。
【図４】図３のマスクにおいて第２のシートが剥離された状態を示す正面図である。
【図５】本発明によるマスクの第３実施形態を示す正面図である。
【図６】図５のマスクにおいて第２のシートが剥離された状態を示す正面図である。
【図７】本発明によるマスクの第４実施形態を示す背面図である。
【図８】本発明によるマスクの第５実施形態を示す背面図である。
【図９】本発明によるマスクの第６実施形態を示す正面図である。
【図１０】図９のマスクにおいて第２のシートが剥離された状態を示す正面図である。
【図１１】変形例に係るマスクを示す正面図である。
【図１２】図１１のマスクにおいて第３のシートが剥離された状態を示す正面図である。
【図１３】図１１のマスクにおいて第２のシート及び第３のシートが剥離された状態を示す正面図である。
【図１４】他の変形例に係るマスクを示す正面図である。
【図１５】図１４のマスクにおいて第３のシートが剥離された状態を示す正面図である。
【図１６】図１４のマスクにおいて第２のシート及び第３のシートが剥離された状態を示す正面図である。
【発明を実施するための形態】
【００１０】
以下、図面を参照しつつ、本発明の実施形態について詳細に説明する。なお、図面の説明においては、同一要素には同一符号を付し、重複する説明を省略する。
（第１実施形態）
【００１１】
図１は、本発明によるマスクの第１実施形態を示す正面図である。マスク１は、本体部１０を備えている。本体部１０は、シート状をしており、装着者の目、鼻及び口のうち、鼻及び口のみ、あるいは口のみを覆う。図１においては、本体部１０の外側の面、すなわち装着者の顔に対向する面（内側の面）とは反対側の面が示されている。本体部１０は、通気性を有している。
【００１２】
本体部１０は、シート１２（第１のシート）、及びシート１４（第２のシート）を有する。これらのシート１２及びシート１４は、互いに重ね合わされている。ここで、シート１２とシート１４とは、略同一の形状及び大きさをしているため、互いに全体が重なり合っている。シート１２及びシート１４は、何れもメッシュ状をしている。ただし、シート１４は、シート１２よりも目が細かい。例えば、シート１４は一般的なマスクの本体部と同程度の目開きを有し、シート１２はその２倍以上の目開きを有する。なお、図においては、見易くするため、目開きを実際よりも大きく示している。シート１２，１４の材料としては、例えば、不織布又は紙を用いることができる。シート１２とシート１４とは、同一の材料からなることが好ましい。
【００１３】
シート１４は、シート１２から剥離可能に設けられている。シート１４は、その全体を剥離することは勿論、その一部のみを剥離することもできる。すなわち、シート１４は、シート１２から部分的に剥離可能である。本実施形態においてシート１２及びシート１４は、互いに剥離可能に貼り合わされている。シート１４は、シート１２から剥離された後、シート１２に再び貼り合わせることが可能である。それゆえ、シート１４は、シート１２から剥離された後も、シート１２に再び重ね合わされた状態で使用可能である。このように剥離可能でかつ再貼合可能なシート１４は、例えば、シート１４の周縁部に適度な粘着力を有する粘着剤を塗布しておき、当該粘着剤を介してシート１４をシート１２に貼り合わせることにより実現することができる。
【００１４】
図２は、マスク１においてシート１４が剥離された状態を示す正面図である。本実施形態においては、シート１４の全体が剥離され、本体部１０の外側の面全体にシート１２が露出する。
【００１５】
図１に戻って、本体部１０には、線状部材３２，３４，３６，３８が固定されている。これらの線状部材３２，３４，３６，３８は、可塑性を有し、装着者の顔から本体部１０を離間させた状態で本体部１０の形状を維持するためのものである。線状部材３２，３４，３６，３８の材料としては、例えば、金属又は樹脂を用いることができる。
【００１６】
線状部材３２（第１の線状部材）は、本体部１０の上端に沿って延在している。線状部材３４（第２の線状部材）は、本体部１０の下端に沿って延在している。線状部材３６（第３の線状部材）は、本体部１０の左端に沿って延在している。また、線状部材３８（第４の線状部材）は、本体部１０の右端に沿って延在している。線状部材３２は、例えば、シート１２の上端付近を袋状に形成し、その中に収容すればよい。線状部材３４，３６，３８についても同様である。
【００１７】
さらに、本体部１０には、当該本体部１０を装着者の顔に固定するための固定部４０が取り付けられている。詳細には、固定部４０は、本体部１０のシート１２に取り付けられている。本実施形態において固定部４０は、装着者の耳に掛けられる紐状部材である。かかる固定部４０としては、例えば、ゴム紐を用いることができる。
【００１８】
マスク１の効果を説明する。マスク１においては、本体部１０によって装着者の口が覆われるため、喉が乾燥するのを防ぐことができる。また、本体部１０は、互いに重ね合わされたシート１２及びシート１４を有し、シート１４は、シート１２から剥離可能に設けられている。このため、装着者は、比較的目の細かいシート１４を剥離することにより、比較的目の粗いシート１２を露出させ、本体部１０の通気性を高めることができる。これにより、装着者は、呼吸をし易くなるため、息苦しさから免れることができる。したがって、息苦しさを解消しつつ喉の乾燥を防ぐことができるマスク１が実現されている。
【００１９】
かかる構成により、マスク１は、シート１４がシート１２に重ね合わされた状態と、シート１４がシート１２から剥離された状態とで２通りの使い方が可能である。これにより、装着者にとっての利便性が飛躍的に高まる。
【００２０】
例えば、装着者は、起きている間はシート１４がシート１２に重ね合わされた状態でマスク１を使用し、寝ている間はシート１４がシート１２から剥離された状態でマスク１を使用することができる。すなわち、起きている間は息苦しくなっても適宜マスクを着脱することができるのに対し、寝ている間はそうすることができない。それゆえ、起きている間は、喉の乾燥防止を優先してシート１４がシート１２に重ね合わされた状態でマスク１を使用する一方で、寝ている間は、呼吸の容易性を優先してシート１４がシート１２から剥離された状態でマスク１を使用することができる。
【００２１】
また、装着者は、空気の乾燥の程度が比較的大きい室外では、喉の乾燥防止を優先してシート１４がシート１２に重ね合わされた状態でマスク１を使用する一方で、空気の乾燥の程度が比較的小さい室内では、呼吸の容易性を優先してシート１４がシート１２から剥離された状態でマスク１を使用するということもできる。
【００２２】
このように２通りの使い方が可能であるため、マスク１は、長時間にわたって使用するのに適しており、経済的である。
【００２３】
さらに、シート１４は、その一部のみを剥離することが可能である。このため、シート１２の一部のみを露出させることが可能となる。したがって、装着者は、シート１２における露出される部分の面積を変えることにより、喉の乾燥防止と呼吸の容易性とのバランスを調整することができる。
【００２４】
シート１４は、シート１２から剥離された後も、シート１２に再び重ね合わせて使用することが可能である。このため、装着者は、シート１４がシート１２に重ね合わされた状態での使用と、シート１４がシート１２から剥離された状態での使用とを交互に繰り返すことができる。
【００２５】
シート１２とシート１４とは、互いに剥離可能に貼り合わされている。これにより、装着者は、シート１４の剥離及び再貼合を極めて容易に行うことができる。
【００２６】
シート１２とシート１４とは、略同一の形状及び大きさをしている。このため、２枚のシート１２，１４を重ね合わせる際の位置合わせを容易に行うことができる。
【００２７】
また、本体部１０には、線状部材３２，３４，３６，３８が設けられている。このため、装着者の顔から本体部１０を離間させた状態で本体部１０の形状を維持することができる。それにより、装着者の顔と本体部１０との間に適度な空間を形成し、吸気及び呼気の経路を確保することができる。特に本実施形態においては、本体部１０の上下左右に線状部材３２，３４，３６，３８が設けられているため、本体部１０の形状設定の自由度が高く、吸気及び呼気の経路を確保し易い。
（第２実施形態）
【００２８】
図３は、本発明によるマスクの第２実施形態を示す正面図である。マスク２においては、本体部１０のシート１４に切取線２２，２４が形成されている。これらの切取線２２，２４は、シート１４をシート１２から剥離するためのものであり、例えばミシン目である。各切取線２２，２４は、シート１４の上下方向に延在し、シート１４の上端から下端まで達している。切取線２２はシート１４の左端付近に位置し、切取線２４はシート１４の右端付近に位置する。
【００２９】
シート１４の左端と切取線２２との間の領域、及びシート１４の右端と切取線２４との間の領域において、シート１４はシート１２に接着されている。これらの接着された部分は、剥離可能な部分ではない。これに対して、シート１４における切取線２２と切取線２４との間の部分は、剥離可能な部分である。シート１２とシート１４とは、当該部分において互いに貼り合わされていてもよいし、貼り合わされていなくてもよい。
【００３０】
図４は、マスク２においてシート１４が剥離された状態を示す正面図である。本実施形態においては、切取線２２，２４に沿ってシート１４を切断することにより、シート１４の大部分（切取線２２と切取線２４との間の部分）がシート１２から剥離され、当該部分にシート１２が露出する。マスク２のその他の構成は、マスク１と同様である。
【００３１】
マスク２の効果を説明する。マスク２においては、本体部１０によって装着者の口が覆われるため、喉が乾燥するのを防ぐことができる。また、本体部１０は、互いに重ね合わされたシート１２及びシート１４を有し、シート１４は、シート１２から剥離可能に設けられている。このため、装着者は、比較的目の細かいシート１４を剥離することにより、比較的目の粗いシート１２を露出させ、本体部１０の通気性を高めることができる。これにより、装着者は、呼吸をし易くなるため、息苦しさから免れることができる。したがって、息苦しさを解消しつつ喉の乾燥を防ぐことができるマスク２が実現されている。
【００３２】
本体部１０には、シート１４をシート１２から剥離するための切取線２２，２４が形成されている。これにより、シート１４における剥離可能な部分と剥離可能でない部分とを画することができる。シート１４の剥離可能でない部分は、容易に剥がれないようにシート１２に対して強固に接着することが許される。それゆえ、強度に優れたマスク２を実現することができる。マスク２のその他の効果は、マスク１について説明したとおりである。
（第３実施形態）
【００３３】
図５は、本発明によるマスクの第３実施形態を示す正面図である。マスク３においては、本体部１０のシート１４に、切取線２２，２４に加えて、切取線２６，２８が形成されている。これらの切取線２６，２８も、シート１４をシート１２から剥離するためのものであり、例えばミシン目である。各切取線２６，２８は、シート１４の左右方向に延在し、切取線２２から切取線２４まで達している。切取線２６，２８は、シート１４を上下方向に３等分する位置に形成されている。
【００３４】
このように、切取線２６，２８は、シート１４における剥離可能な部分（切取線２２と切取線２４との間の部分）を複数に分断するように形成されている。具体的には、シート１４における剥離可能な部分は、切取線２６よりも上側の部分１４ａ、切取線２６と切取線２８との間の部分１４ｂ、及び切取線２８よりも下側の部分１４ｃの３つに分断されている。
【００３５】
図６は、マスク３においてシート１４が剥離された状態を示す正面図である。同図においては、一例として、部分１４ｂの周囲に沿ってシート１４を切断することにより、当該部分１４ｂのみがシート１２から剥離された例が示されている。部分１４ｂを剥離する代わりに、部分１４ａ又は部分１４ｃを剥離してもよい。また、３つの部分１４ａ，１４ｂ，１４ｃのうち何れか２つを剥離してもよいし、３つとも剥離してもよい。マスク３のその他の構成は、マスク２と同様である。
【００３６】
マスク３の効果を説明する。マスク３においては、本体部１０によって装着者の口が覆われるため、喉が乾燥するのを防ぐことができる。また、本体部１０は、互いに重ね合わされたシート１２及びシート１４を有し、シート１４は、シート１２から剥離可能に設けられている。このため、装着者は、比較的目の細かいシート１４を剥離することにより、比較的目の粗いシート１２を露出させ、本体部１０の通気性を高めることができる。これにより、装着者は、呼吸をし易くなるため、息苦しさから免れることができる。したがって、息苦しさを解消しつつ喉の乾燥を防ぐことができるマスク３が実現されている。
【００３７】
本体部１０には、シート１４における剥離可能な部分を複数に分断するように切取線２６，２８が形成されている。このため、装着者は、剥離される部分の面積や位置を変えることにより、喉の乾燥防止と呼吸の容易性とのバランスを調整することができる。マスク３のその他の効果は、マスク１及びマスク２について説明したとおりである。
（第４実施形態）
【００３８】
図７は、本発明によるマスクの第４実施形態を示す背面図である。マスク４は、本体部１０に加えて、保湿機能を有する保湿材５２を備えている。本実施形態においては、２つの保湿材５２が設けられている。保湿材５２は、本体部１０に着脱可能に設けられている。保湿材５２は、本体部１０よりも小さいシート状をしており、本体部１０に貼付可能である。具体的には、保湿材５２は、その片面に粘着剤が塗布されており、本体部１０に貼付することも、本体部１０から剥離することも可能である。
【００３９】
この保湿材５２は、本体部１０の任意の位置に貼付することができる。保湿材５２は、本体部１０の外側の面（シート１４におけるシート１２と反対側の面）に貼付してもよいし、内側の面（シート１２におけるシート１４と反対側の面）に貼付してもよい。図７は、本体部１０の左右を分断する中心線Ｌ２上に２つの保湿材５２が貼付された例を示している。同図においては、本体部１０の内側の面が示されており、当該面に保湿材５２が貼付されている。図中の上側の保湿材５２は、概ね、装着者の鼻と口の間の領域に重なる部分に位置している。また、下側の保湿材５２は、概ね、装着者の口の下の領域に重なる部分に位置している。
【００４０】
保湿材５２としては、例えば、保湿成分を含有する液体を含浸させた不織布を用いることができる。保湿成分としては、例えば、コラーゲン、ヒアルロン酸、グリセリン類が挙げられる。
【００４１】
保湿材５２には、保湿成分と共に、芳香成分及び／又は抗菌成分が含有されていてもよい。芳香成分としては、例えば、ユーカリ、ローズマリーその他のハーブの香りを発するものが挙げられる。また、抗菌成分としては、例えば、カテキンその他のタンニンが挙げられる。タンニンとしては、お茶やコーヒーに含有されているものを用いることができる。マスク４のその他の構成は、マスク１、マスク２又はマスク３と同様である。
【００４２】
マスク４の効果を説明する。マスク４においては、保湿材５２が設けられている。このため、喉の乾燥をより効果的に防ぐことができる。しかも、この保湿材５２は、着脱可能に設けられている。これにより、マスク４は、保湿材５２が取り付けられた状態でも、取り外された状態でも使用することができるため、装着者にとっての利便性が高まる。例えば、装着者は、シート１４がシート１２に重ね合わされた状態では保湿材５２を取り外してマスク４を使用する一方で、シート１４がシート１２から剥離された状態では保湿材５２を取り付けてマスク４を使用することができる。
【００４３】
さらに、保湿材５２は、本体部１０に貼付可能であるため、本体部１０への着脱が容易である。また、保湿材５２を本体部１０の任意の位置に貼付することができるため、装着者は、本体部１０に取り付けられた保湿材５２の位置を変えることにより、保湿の程度を調整することができる。
【００４４】
保湿材５２は、複数設けられている。このため、装着者は、本体部１０に取り付けられた保湿材５２の個数を変えることにより、保湿の程度を調整することができる。ただし、保湿材５２は、１つだけ設けられてもよい。
【００４５】
保湿材５２が芳香成分を含有する場合、当該成分が呼吸時に鼻孔に吸い込まれることにより、装着者は、より快適にマスク４を使用することができる。保湿材５２が抗菌成分を含有する場合、吸気中や呼気中の雑菌が繁殖するのを抑制することができるため、装着者は、より衛生的にマスク４を使用することができる。マスク４のその他の効果は、マスク１〜３について説明したとおりである。
（第５実施形態）
【００４６】
図８は、本発明によるマスクの第５実施形態を示す背面図である。マスク５は、本体部１０に加えて、保湿機能を有する保湿材５４を備えている。本実施形態においては、２つの保湿材５４が設けられている。保湿材５４は、本体部１０に着脱可能に設けられている。具体的には、本実施形態の本体部１０はポケット１６を有しており、このポケット１６内に保湿材５４が出入自由に収納されている。保湿材５４は、本体部１０よりも小さいシート状をしている。保湿材５４としては、保湿材５２と同様、保湿成分を含有する液体を含浸させた不織布を用いることができる。保湿材５４に芳香成分及び／又は抗菌成分が含有されていてもよいことは、保湿材５２と同様である。
【００４７】
ポケット１６は、本体部１０の任意の位置に設けることができる。ポケット１６は、本体部１０の外側の面に設けてもよいし、内側の面に設けてもよい。図８は、本体部１０の左右を分断する中心線Ｌ２上に２つのポケット１６が設けられた例を示している。同図においては、本体部１０の内側の面が示されており、当該面にポケット１６が設けられている。図中の上側のポケット１６は、概ね、装着者の鼻と口の間の領域に重なる部分に位置している。また、下側のポケット１６は、概ね、装着者の口の下の領域に重なる部分に位置している。
【００４８】
ポケット１６の材料としては、例えば不織布を用いることができる。ポケット１６は、左右両端及び下端が本体部１０（具体的にはシート１２）に接着される一方で、上端は本体部１０に接着されていない。したがって、ポケット１６は、その上端から保湿材５４を出し入れすることが可能な構造をしている。マスク５のその他の構成は、マスク１、マスク２又はマスク３と同様である。
【００４９】
マスク５の効果を説明する。マスク５においては、保湿材５４が設けられている。このため、喉の乾燥をより効果的に防ぐことができる。しかも、この保湿材５４は、着脱可能に設けられている。これにより、マスク５は、保湿材５４が取り付けられた状態でも、取り外された状態でも使用することができるため、装着者にとっての利便性が高まる。例えば、装着者は、シート１４がシート１２に重ね合わされた状態では保湿材５４を取り外してマスク５を使用する一方で、シート１４がシート１２から剥離された状態では保湿材５４を取り付けてマスク５を使用することができる。
【００５０】
本体部１０は、保湿材５４を収納するポケット１６を有している。このため、保湿材５４の着脱を容易に行うことができる。さらに、本実施形態においては、複数のポケット１６が設けられている。このため、装着者は、本体部１０に取り付けられた保湿材５４の個数や位置を変えることにより、保湿の程度を調整することができる。ただし、ポケット１６は、１つだけ設けられてもよい。マスク５のその他の効果は、マスク１〜４について説明したとおりである。
（第６実施形態）
【００５１】
図９は、本発明によるマスクの第６実施形態を示す正面図である。マスク６においては、本体部１０のシート１４に切取線２１，２３，２５が形成されている。これらの切取線２１，２３，２５は、シート１４をシート１２から剥離するためのものであり、例えばミシン目である。切取線２１は、シート１４の左右方向に延在し、シート１４の左端付近から右端付近まで達している。切取線２３は、シート１４の上下方向に延在し、シート１４の上端から切取線１２の左端まで達している。切取線２５は、シート１４の上下方向に延在し、シート１４の上端から切取線１２の右端まで達している。
【００５２】
シート１４における切取線２１，２３，２５の外側の領域（シート１４の下端と切取線２１との間の領域、シート１４の左端と切取線２３との間の領域、及びシート１４の右端と切取線２５との間の領域）において、シート１４はシート１２に接着されている。この接着された部分は、剥離可能な部分ではない。これに対して、シート１４における切取線２１，２３，２５の内側の領域は、剥離可能な部分である。ただし、シート１２の上端部とシート１４の上端部とは、互いに接着されている。
【００５３】
図１０は、マスク６においてシート１４が剥離された状態を示す正面図である。本実施形態においては、切取線２１，２３，２５に沿ってシート１４を切断することにより、シート１４の一部（図９における切取線２１，２３，２５の内側の領域）がシート１２から剥離され、当該部分にシート１２が露出する。このとき、シート１４は、その上端部がシート１２の上端部に接着された状態を維持しつつ、シート１２から剥離される。
【００５４】
シート１４は、シート１２から剥離された後、装着者の目を覆うように構成されている。詳細には、シート１４を捲り上げるようにしてシート１２から剥離することにより、シート１４で目を覆うことができる。この状態においては、シート１４の外側の面（シート１２に重ね合わされた状態においてシート１２に対向する面とは反対側の面）が、装着者の顔に対向することになる。図１０において、一点鎖線Ｌ３で囲まれた部分が、概ね、装着者の目に重なる部分である。
【００５５】
さらに、マスク６は、遮光シート６０を備えている。遮光シート６０は、シート１２から剥離された後のシート１４に貼付される。具体的には、遮光シート６０は、シート１４における装着者の目に重なる部分に貼付される。遮光シート６０には、図柄が描かれていてもよい。かかる図柄としては、例えば、動物、スイーツ（デザート）、乗り物、又は、アニメや漫画等のキャラクターの図柄が挙げられる。マスク６のその他の構成は、マスク１と同様である。本実施形態においても、上述の保湿材５２，５４を設けてもよいことは、言うまでもない。
【００５６】
マスク６の効果を説明する。マスク６においては、本体部１０によって装着者の口が覆われるため、喉が乾燥するのを防ぐことができる。また、本体部１０は、互いに重ね合わされたシート１２及びシート１４を有し、シート１４は、シート１２から剥離可能に設けられている。このため、装着者は、比較的目の細かいシート１４を剥離することにより、比較的目の粗いシート１２を露出させ、本体部１０の通気性を高めることができる。これにより、装着者は、呼吸をし易くなるため、息苦しさから免れることができる。したがって、息苦しさを解消しつつ喉の乾燥を防ぐことができるマスク６が実現されている。
【００５７】
シート１４は、シート１２から剥離された後、装着者の目を覆うように構成されている。これにより、シート１２から剥離されたシート１４をアイマスクとして利用することができるため、装着者にとっての利便性が高まる。
【００５８】
シート１２から剥離されたシート１４に遮光シート６０が貼付される。これにより、シート１４の遮光性が高まるため、シート１４をアイマスクとして、より好適に利用することができる。
【００５９】
シート１４は、シート１２から剥離された後も、シート１２との間で上端部どうしが接着された状態を維持する。これにより、装着者の目を覆う位置にシート１４を容易に固定することができる。ただし、シート１４は、シート１２から完全に分離されてもよい。その場合、装着者の目を覆う位置にシート１４を固定するため、シート１４は、人の皮膚に対して貼付可能であることが好ましい。
【００６０】
遮光シート６０に図柄が描かれている場合、マスク６のデザイン性を向上させ、その商品価値を高めることができる。特に、動物、スイーツ、乗り物、又はキャラクターの図柄が遮光シート６０に描かれている場合、子供の関心を強く惹くことができる。さらに、遮光シート６０を宣伝媒体として用いることにより、マスク６の低価格化を図ることも可能である。マスク６のその他の効果は、マスク１及びマスク２について説明したとおりである。
【００６１】
本発明によるマスクは、上記実施形態に限定されるものではなく、様々な変形が可能である。例えば、上記実施形態においては、本体部１０の内側の面にシート１２が設けられ、外側の面にシート１４が設けられた例を示した。しかし、本体部１０の内側の面にシート１４が設けられ、外側の面にシート１２が設けられてもよい。その場合、装着者の顔に対向する側のシート（シート１４）が剥離されることになるため、衛生面で有利である。
【００６２】
上記実施形態においては、４つの線状部材３２，３４，３６，３８が設けられた例を示した。しかし、これらの線状部材の一部のみが設けられた構成としてもよい。例えば線状部材３２，３４のみが設けられた構成、あるいは線状部材３６，３８のみが設けられた構成等が考えられる。また、線状部材３２，３４，３６，３８の何れも設けない構成としてもよい。
【００６３】
上記実施形態においては、本体部１０が２枚のシート１２，１４からなる例を示した。しかし、本体部１０は、互いに重ね合わされた３枚以上のシートからなっていてもよい。
【００６４】
図１１は、本体部が３枚のシートからなるマスクの一例を示す正面図である。本体部１０は、シート１２，１４に加えて、シート１８（第３のシート）を有する。シート１８は、シート１４に重ね合わされている。シート１８は、シート１２，１４と略同一の形状及び大きさをしている。シート１８は、シート１４よりも目の細かいメッシュ状をしている。シート１８の材料としては、例えば、不織布又は紙を用いることができる。シート１８は、シート１２，１４と同一の材料からなることが好ましい。
【００６５】
シート１８は、シート１４から剥離可能に設けられている。シート１８は、その全体を剥離することは勿論、その一部のみを剥離することもできる。すなわち、シート１８は、シート１４から部分的に剥離可能である。シート１４及びシート１８は、互いに剥離可能に貼り合わされている。シート１８は、シート１４から剥離された後、シート１４に再び貼り合わせることが可能である。
【００６６】
図１２は、マスク７においてシート１８が剥離された状態を示す正面図である。シート１８の全体が剥離され、本体部１０の外側の面全体にシート１４が露出している。図１３は、マスク７においてシート１４も剥離された状態を示す正面図である。シート１４の全体が剥離され、本体部１０の外側の面全体にシート１２が露出している。マスク７のその他の構成は、マスク１と同様である。
【００６７】
かかる構成のマスク７においては、剥離されるシートの枚数を変えることにより、喉の乾燥防止と呼吸の容易性とのバランスを調整することができる。すなわち、図１２に示すようにシート１８のみを剥離するか、あるいは図１３に示すようにシート１８及びシート１４の双方を剥離するかによって、本体部１０の通気性を段階的に調整することができる。マスク７のその他の効果は、マスク１について説明したとおりである。
【００６８】
図１４は、本体部が３枚のシートからなるマスクの他の例を示す正面図である。マスク８においても、本体部１０は、３枚のシート１２，１４，１８からなる。シート１８には、切取線２１'，２３'，２５'が形成されている。これらの切取線２１'，２３'，２５'は、シート１８をシート１４から剥離するためのものであり、例えばミシン目である。切取線２１'，２３'，２５'は、それぞれシート１４の切取線２１，２３，２５（図９参照）に重なる位置に形成されている。
【００６９】
シート１８における切取線２１'，２３'，２５'の外側の領域において、シート１８はシート１４に接着されている。この接着された部分は、剥離可能な部分ではない。これに対して、シート１８における切取線２１'，２３'，２５'の内側の領域は、剥離可能な部分である。ただし、シート１４の上端部とシート１８の上端部とは、互いに接着されている。
【００７０】
図１５は、マスク８においてシート１８が剥離された状態を示す正面図である。切取線２１'，２３'，２５'に沿ってシート１８を切断することにより、シート１８の一部（図１４における切取線２１'，２３'，２５'の内側の領域）がシート１４から剥離され、当該部分にシート１４が露出する。このとき、シート１８は、その上端部がシート１４の上端部に接着された状態を維持しつつ、シート１４から剥離される。
【００７１】
シート１８は、シート１４から剥離された後、装着者の目を覆うように構成されている。詳細には、シート１８を捲り上げるようにしてシート１４から剥離することにより、シート１８で目を覆うことができる。この状態においては、シート１８の外側の面（シート１４に重ね合わされた状態においてシート１４に対向する面とは反対側の面）が、装着者の顔に対向することになる。シート１８における装着者の目に重なる部分には、遮光シート６０（図１０参照）を貼付してもよい。
【００７２】
図１６は、マスク８においてシート１４も剥離された状態を示す正面図である。切取線２１，２３，２５に沿ってシート１４を切断することにより、シート１４の一部（図１５における切取線２１，２３，２５の内側の領域）がシート１２から剥離され、当該部分にシート１２が露出する。このとき、シート１４は、その上端部がシート１２の上端部に接着された状態を維持しつつ、シート１２から剥離される。このように剥離されたシート１４は、シート１８と共に装着者の目を覆うように構成されている。具体的には、シート１４の剥離された部分とシート１８の剥離された部分とは、互いに重ね合わされた状態で、装着者の目を覆う。マスク８のその他の構成は、マスク６と同様である。
【００７３】
かかる構成のマスク８においても、剥離されるシートの枚数を変えることにより、喉の乾燥防止と呼吸の容易性とのバランスを調整することができる。さらに、アイマスクとして機能する部分の遮光性を調整することもできる。すなわち、図１５に示すようにシート１８のみを剥離するか、あるいは図１６に示すようにシート１８及びシート１４の双方を剥離するかによって、アイマスクとして機能する部分（前者の場合はシート１８の剥離された部分、後者の場合はシート１８の剥離された部分及びシート１４の剥離された部分）の遮光性を段階的に調整することができる。マスク８のその他の効果は、マスク６について説明したとおりである。
【符号の説明】
【００７４】
１〜８  マスク
１０  本体部
１２  シート（第１のシート）
１４  シート（第２のシート）
１６  ポケット
１８  シート（第３のシート）
２１〜２６，２８  切取線
２１'，２３'，２５'  切取線
３２  線状部材（第１の線状部材）
３４  線状部材（第２の線状部材）
３６  線状部材（第３の線状部材）
３８  線状部材（第４の線状部材）
４０  固定部
５２  保湿材
５４  保湿材
６０  遮光シート
【図１】
2015132862.tif 000003
【図２】
2015132862.tif 000004
【図３】
2015132862.tif 000005
【図４】
2015132862.tif 000006
【図５】
2015132862.tif 000007
【図６】
2015132862.tif 000008
【図７】
2015132862.tif 000009
【図８】
2015132862.tif 000010
【図９】
2015132862.tif 000011
【図１０】
2015132862.tif 000012
【図１１】
2015132862.tif 000013
【図１２】
2015132862.tif 000014
【図１３】
2015132862.tif 000015
【図１４】
2015132862.tif 000016
【図１５】
2015132862.tif 000017
【図１６】
2015132862.tif 000018
【国際調査報告】
2015132862.tif 000019
2015132862.tif 000020
2015132862.tif 000021
2015132862.tif 000022